(57)【要約】【課題】第２の人の進捗状況の報告を受けた第１の人が、第２の人の進捗状況の内容に応じて第２の人に対し迅速かつ容易にギフトを贈ることができる手法を提供することを目的とする。【解決手段】メッセージ取得制御部１３１は第２端末３から送信されたメッセージｍ１を第１端末２に取得させる制御を実行する。アクセス制御部１３２は第１端末２によってメッセージｍ１が取得された場合に、第１端末２がギフトをもらう権利Ｈを提供するウェブサイトにアクセスする制御を実行する。申込受付部１３３は注文操作を受け付ける。第１情報管理部２１２はギフトコードを発行する。コード受付部３２１はギフトコードの入力を受付ける。有効化無効化処理部２０３はギフトコードが有効か否かを判定する。第２情報管理部２２２は商品選択画面を第２端末３に表示する制御を実行する。商品選択受付部３２２は商品選択操作を受け付ける。【選択図】図６
2018152070.tif 000002
【特許請求の範囲】
【請求項１】
第１の人が第２の人にギフトを贈るために操作する第１端末と、第２の人が第１の人から贈られたギフトを受け取るために操作する第２端末とを含む情報処理システムにおいて、
前記第２端末から送信されたメッセージを前記第１端末に取得させる制御を実行するメッセージ取得制御手段と、
前記第１端末によって前記メッセージが取得された場合に、前記第１端末が、ギフトをもらう権利を提供するウェブサイトにアクセスする制御を実行するアクセス制御手段と、
前記ウェブサイトにおいて、前記ギフトをもらう権利の提供を希望する注文操作を受け付ける注文操作受付手段と、
前記注文操作の受け付けをトリガとして、前記ギフトをもらう権利を有することを示すギフトコードを発行するギフトコード発行手段と、
発行された前記ギフトコードの入力を受付けるコード受付手段と、
受付けられた前記ギフトコードが有効であるか否かを判定する判定手段と、
前記ギフトコードが有効であると判断された場合に、前記ギフトを選択するための商品選択画面を前記第２端末に表示する制御を実行する商品選択画面表示制御手段と、
前記商品選択画面における商品選択操作を受け付ける商品選択受付手段と、
を備える情報処理システム。
【請求項２】
前記アクセス制御手段は、
前記メッセージの内容を分析し、当該分析の結果に応じて、前記第１端末が、前記ウェブサイトにアクセスする制御を実行する、
請求項１に記載の情報処理システム。
【請求項３】
第１の人が第２の人にギフトを贈るために操作する第１端末と、第２の人が第１の人から贈られたギフトを受け取るために操作する第２端末とを含む情報処理システムが実行する情報処理方法において、
前記第２端末から送信されたメッセージを前記第１端末に取得させる制御を実行するメッセージ取得制御ステップと、
前記第１端末によって前記メッセージが取得された場合に、前記第１端末が、ギフトをもらう権利を提供するウェブサイトにアクセスする制御を実行するアクセス制御ステップと、
前記ウェブサイトにおいて、前記ギフトをもらう権利の提供を希望する注文操作を受け付ける注文操作受付ステップと、
前記注文操作の受け付けをトリガとして、前記ギフトをもらう権利を有することを示すギフトコードを発行するギフトコード発行ステップと、
発行された前記ギフトコードの入力を受付けるコード受付ステップと、
受付けられた前記ギフトコードが有効であるか否かを判定する判定ステップと、
前記ギフトコードが有効であると判断された場合に、前記ギフトを選択するための商品選択画面を前記第２端末に表示する制御を実行する商品選択画面表示制御ステップと、
前記商品選択画面における商品選択操作を受け付ける商品選択受付ステップと、
を含む情報処理方法。
【請求項４】
コンピュータに、
第２端末から送信されたメッセージを第１端末に取得させる制御を実行するメッセージ取得制御ステップと、
前記第１端末によって前記メッセージが取得された場合に、前記第１端末が、ギフトをもらう権利を提供するウェブサイトにアクセスする制御を実行するアクセス制御ステップと、
前記ウェブサイトにおいて、前記ギフトをもらう権利の提供を希望する注文操作を受け付ける注文操作受付ステップと、
前記注文操作の受け付けをトリガとして、前記ギフトをもらう権利を有することを示すギフトコードを発行するギフトコード発行ステップと、
発行された前記ギフトコードの入力を受付けるコード受付ステップと、
受付けられた前記ギフトコードが有効であるか否かを判定する判定ステップと、
前記ギフトコードが有効であると判断された場合に、前記ギフトを選択するための商品選択画面を前記第２端末に表示する制御を実行する商品選択画面表示制御ステップと、
前記商品選択画面における商品選択操作を受け付ける商品選択受付ステップと、
を含む制御処理を実行させるプログラム。
【発明の詳細な説明】
【技術分野】
【０００１】
本発明は、情報処理システム、情報処理方法、及びプログラムに関する。
【背景技術】
【０００２】
従来より、ギフトを提供する者（以下、「ギフトを贈る人」と呼ぶ）からギフトの提供を受ける者（以下、「ギフトをもらう人」と呼ぶ）に対してギフトの提供を行う場合には、以下のような手法が用いられていた。即ち、ギフトをもらう人は、ギフトを贈る人から提供されたカタログから、所望の商品を選び、氏名や住所等の個人情報を記載した葉書を郵送することで、商品（ギフト）を取り扱う業者（以下、「商品提供者」と呼ぶ）に注文を行っていた。商品提供者は、ギフトをもらう人から送られてきた葉書を受け取り、葉書に記載された内容に基づいて、ギフトをもらう人に対し発送すべき商品を特定し、その商品の発送を行っていた。しかし、このような方法では、ギフトをもらう人にとっても、商品提供者にとっても、時間的、手続的な負担が大きかった。
そこで、カタログを電子化して、ギフトをもらう人に商品を選択させる技術が提案されている（例えば、特許文献１参照）。これにより、ギフトをもらう人は、ウェブサイト上で所望の商品を選択し、所定の入力フォームに自身の個人情報を入力するだけで、選択したギフトを配送してもらうことができる。
【先行技術文献】
【特許文献】
【０００３】
【特許文献１】特開２０１０−１６０７９９号公報
【発明の概要】
【発明が解決しようとする課題】
【０００４】
例えば、第１の人と第２の人との間で名刺交換が行われた場合に、その後、第２の人が、メール等で自身の進捗状況（昇進等）を第１の人に報告することが多々ある。このような場合には、知らせを受けた第１の人は、第２の人に対し直ちにお祝いを贈りたいと考えることがある。しかしながら、季節的な理由等でお祝いを贈りたいと思う相手の数が集中したりすると、第１の人はお祝いを贈る手続きを後回しにしてしまい、結局第２の人にお祝いを贈ることができなかったということもある。このため、より簡易な手法でお祝いを贈りたいという要望があったが、従来の技術ではこのような要望に対し適切に応じることができなかった。
【０００５】
本発明は、このような状況に鑑みてなされたものであり、第２の人の進捗状況の報告を受けた第１の人が、第２の人の進捗状況の内容に応じて、第２の人に対し迅速かつ容易にギフトを贈ることができる手法を提供することを目的とする。
【課題を解決するための手段】
【０００６】
上記目的を達成するため、本発明の一態様の情報処理システムは、
第１の人が第２の人にギフトを贈るために操作する第１端末と、第２の人が第１の人から贈られたギフトを受け取るために操作する第２端末とを含む情報処理システムにおいて、
前記第２端末から送信されたメッセージを前記第１端末に取得させる制御を実行するメッセージ取得制御手段と、
前記第１端末によって前記メッセージが取得された場合に、前記第１端末が、ギフトをもらう権利を提供するウェブサイトにアクセスする制御を実行するアクセス制御手段と、
前記ウェブサイトにおいて、前記ギフトをもらう権利の提供を希望する注文操作を受け付ける注文操作受付手段と、
前記注文操作の受け付けをトリガとして、前記ギフトをもらう権利を有することを示すギフトコードを発行するギフトコード発行手段と、
発行された前記ギフトコードの入力を受付けるコード受付手段と、
受付けられた前記ギフトコードが有効であるか否かを判定する判定手段と、
前記ギフトコードが有効であると判断された場合に、前記ギフトを選択するための商品選択画面を前記第２端末に表示する制御を実行する商品選択画面表示制御手段と、
前記商品選択画面における商品選択操作を受け付ける商品選択受付手段と、
を備える。
【０００７】
また、前記アクセス制御手段は、前記メッセージの内容を分析し、当該分析の結果に応じて、前記第１端末が、前記ウェブサイトにアクセスする制御を実行することができる。
【０００８】
本発明の一態様の情報処理方法及びプログラムは、上述の本発明の一態様の情報処理システムに対応する方法及びプログラムである。
【発明の効果】
【０００９】
本発明によれば、第２の人の進捗状況の報告を受けた第１の人が、第２の人の進捗状況の内容に応じて、第２の人に対し迅速かつ容易にギフトを贈ることができる。
【図面の簡単な説明】
【００１０】
【図１】本発明の一実施形態に係る情報処理システムの構成図である。
【図２】図１の情報処理システムが適用される本サービスのフローの一例を示す図である。
【図３】図１の情報処理システムのうちサーバ１のハードウェア構成の一例を示すブロック図である。
【図４】図１のサーバ及び商品提供者端末が実行する商品提供処理に必要となる機能的構成の一例を示す機能ブロック図である。
【図５】図４の機能的構成を有するサーバが実行する、商品提供処理の流れの一例を説明するフローチャートである。
【図６】図１の第１端末、第２端末及びサーバによって実行されるギフトコース選択処理及び商品選択処理に必要な機能的構成の一例を示す機能ブロック図である。
【図７】図６の機能的構成を有するサーバが実行する、ギフトコース選択処理の流れを説明するフローチャートである。
【図８】図６の機能的構成を有するサーバが実行する、商品選択処理の流れを説明するフローチャートである。
【発明を実施するための形態】
【００１１】
以下、本発明の実施形態について図面を用いて説明する。
【００１２】
図１は、本発明の一実施形態に係る情報処理システムの構成図である。
【００１３】
図１に示す情報処理システムは、サーバ１と、第１端末２と、第２端末３と、ｎ台（ｎは１以上の任意の整数値）の商品提供者端末４−１乃至４−ｎとを含むように構成される。サーバ１と、第１端末２と、第２端末３と、商品提供者端末４−１乃至４−ｎとは、インターネット等の所定のネットワークＮを介して相互に接続されている。
【００１４】
サーバ１は、本サービスの提供者（以下「サービス提供者」と呼ぶ）Ｍにより管理される情報処理装置である。本サービスとは、第１の人Ｇが、ウェブサイトを介して第２の人Ｔに対し迅速かつ容易にギフトを贈ることを実現させるサービスであり、本発明の一実施形態に係る情報処理システムの適用対象となるサービスである。なお、本サービスの詳細については後述する。
【００１５】
第１端末２は、ギフトを贈る人である第１の人Ｇにより使用される情報処理装置である。ギフトとは、ギフトをもらう権利を有する者が、ギフトをもらう人として、その権利を有していることを示す（例えば後述するギフトコードを入力する）ことで、もらう（所有権を有するようになる）ことができる商品等のことをいう。なお、商品等とは、商品又は役務のことをいう。ここで注目すべき点は、本実施形態における第１の人Ｇは、第２の人Ｔに対して、ギフトとなる商品等を直接贈る人ではなく、ギフトをもらう権利を贈る人である点である。即ち、ギフトをもらう権利は、サービス提供者Ｍが原始的に発生させる権利であり、サービス提供者Ｍの顧客である第１の人Ｇが、ギフトをもらう権利Ｈの第１譲渡を受ける。そして、第１の人Ｇが、ギフトをもらう権利を、ギフトを贈る相手である第２の人Ｔに譲渡する。なお、ギフトをもらう権利は、有償と無償とは問わず譲渡することができる。つまり、ギフトをもらう権利を最終的に有する者が、実際にギフトをもらう人となり、所望の商品等をギフトとして受け取ることができる。
【００１６】
本サービスでは、以下のようなケースが想定される。
例えば、社員Ａ（第１の人Ｇ）の取引先企業の社員である社員Ｂ（第２の人Ｔ）が、自身の昇進の挨拶として、社員Ａにメールを送ったとする。このとき、メールを受けた社員Ａ（第１の人Ｇ）が、社員Ｂ（第２の人Ｔ）に対し、昇進のお祝いとして、ギフトを贈るために本サービスを利用するようなケースが想定される。即ち、社員Ａ（第１の人Ｇ）は、社員Ｂ（第２の人Ｔ）に対して、ギフトをもらう権利Ｈを贈ることで、社員Ｂ（第２の人Ｔ）は、所定のウェブサイト上で、所望のギフトを選択して受け取ることができる。
また例えば、叔父Ｃ（第１の人Ｇ）が、甥Ｄ（第２の人Ｔ）に対して、大学合格のお祝いとして、ギフトを贈るために本サービスを利用するようなケースも想定される。即ち、叔父Ｃ（第１の人Ｇ）は、甥Ｄ（第２の人Ｔ）に対して、ギフトをもらう権利Ｈを贈ることで、甥Ｄ（第２の人Ｔ）は、所定のウェブサイト上で、所望のギフトを選択して受け取ることができる。
【００１７】
第２端末３は、第２の人Ｔ（上述の例では「社員Ｂ」又は「甥Ｄ」）が操作する情報処理装置である。第２の人Ｔは、第２端末３を操作して、後述するギフトコードを入力することで、自身がギフトをもらう権利を有していることを示す。これにより、第２の人Ｔは、所望の商品等を選択し、これを第１の人Ｇから贈られたギフトとしてもらうことができる。
【００１８】
商品提供者端末４−１乃至４−ｎの夫々は、商品提供者Ｐ１乃至Ｐｎの夫々が操作する情報処理装置である。なお、以下、商品提供者端末４−１乃至４−ｎ、商品提供者Ｐ１乃至Ｐｎの夫々を個々に区別する必要がない場合、これらをまとめて、「商品提供者端末４」、「商品提供者Ｐ」の夫々と呼ぶ。商品提供者Ｐは、本サービスにおいて、サービス提供者Ｍにギフトとなる商品等を提供する者である。例えば、ギフトとなる商品等を製造するメーカー等は商品提供者Ｐの一例である。商品提供者Ｐは、サービス提供者Ｍに対し、所定の商品等を提供することで、提供した商品等が、ギフトをもらう人に選択された場合に、ロイヤリティーの支払いを受け、また、商品等の提供によって、自身の知名度の向上等を図ることができる。
【００１９】
第１の人Ｇ（ギフトを贈る人）と商品提供者Ｐとは同一の者であってもよい。即ち、例えば第１の人Ｇ（ギフトを贈る人）が商品等の提供を行うことができる者であれば、自身が提供する商品等を、ギフトとしての商品等に追加することもできる。また、商品提供者Ｐは、１人である必要はなく複数人であってもよい。
【００２０】
図２は、図１の情報処理システムが適用される本サービスのフローの一例を示す図である。
【００２１】
本サービスでは、上述したように、第１の人Ｇ（ギフトを贈る人）が、第２の人Ｔ（ギフトをもらう人）に対して特定の商品等をギフトとして直接受け渡すのではなく、ギフトをもらう権利Ｈを譲渡する。ギフトをもらう権利Ｈは、サービス提供者Ｍが発生させる。つまり、第１の人Ｇが、サービス提供者Ｍからギフトをもらう権利Ｈを購入等によって一次的に譲り受け、その後、第２の人Ｔ（ギフトもらう人）にギフトをもらう権利Ｈを譲渡する。
【００２２】
サービス提供者Ｍは、ギフトをもらう権利Ｈを有する者がギフトをもらう権利Ｈを有していることを示すためのコード（以下「ギフトコード」呼ぶ）を発行する。発行されるギフトコードがどのようなものであるかは特に限定されない。例えば、アルファベットや数字等の組み合わせからなるコードであってもよい。つまり、第１の人Ｇが購入等して、第２の人Ｔに対し贈るものがギフトコードとなる。第２の人は、サービス提供者Ｍに対しギフトコードを示すことで、所望の商品等を、第１の人Ｇから贈られたギフトとしてもらうことができる。
【００２３】
具体的には例えば、ステップＳ１において、第１端末２は、第２端末３から送信されてきたメッセージｍ１を取得する。次に、ステップＳ２において、第１端末２は、サービス提供者Ｍにより管理されるウェブサイトのうち、ギフトコースの選択をさせるために提供される所定のウェブサイト（以下、「ギフトコース選択サイト」と呼ぶ）にアクセスする。第１端末２がギフトコース選択サイトにアクセスする具体的な手法は特に限定されない。第１端末２がメッセージｍ１の取得をトリガとしてギフトコース選択サイトに自動的にアクセスされるようにしてもよいし、第１の人Ｇの操作に基づいて、第１端末２がギフトコース選択サイトにアクセスするようにしてもよい。ここで、「ギフトコース」とは、所定の予算で贈ることができる１以上の商品等によって構成される商品のリストをいう。ギフトコース選択サイトへのアクセスに対し、サーバ１は、第１端末２に、ギフトコース選択サイトの各ページを表示させる制御を実行する。例えばサーバ１は、サービス提供者Ｍが設定する複数種類のギフトコースの中から所定種類を選択するためのページを表示させる制御を実行する。第１端末２にギフトコース選択サイトの各ページが表示されると、第１の人Ｇは、第１端末２を操作して、表示された複数種類のギフトコースの中から任意の種類を選択することで、その種類のギフトコースを購入する。ここで、「ギフトコースを購入する」とは、ギフトコースに含まれる商品等の中から任意のものを選択し、これをギフトとしてもらう権利（即ちギフトをもらう権利Ｈ）を購入することをいう。例えば、男性用の１０,０００円のギフトコースには、時計、電話、ゲームソフト等の男性が一般的に嗜好する商品等のうち、商品提供者Ｐが１０，０００円で提供可能とする商品等が１以上含まれている。つまり、男性用の１０,０００円のギフトコースを購入するとは、商品提供者Ｐが１０，０００円で提供可能とする商品等の中から、任意のものをギフトとしてもらう権利を購入することをいう。
複数種類のギフトコースの夫々の種類は、価格や種別に応じて選択できる商品等の種類や数量が異なるように設定されている。このため、第１の人Ｇは、第１端末２を操作することにより、選択可能なギフトコースの中から、予算、ギフトを贈る趣旨、ギフトを贈る相手（第２の人）の趣向等に基づくギフトコースの種類や数量を入力して、ギフトをもらう権利Ｈを購入する。第１の人Ｇにより購入されたギフトをもらう権利Ｈに係るギフトコースの種類と数量についての情報（以下「購入情報」と呼ぶ）は、第１端末２により取得された後、第１端末２からサーバ１に送信される。
【００２４】
ステップＳ３において、サーバ１は、第１の人Ｇによって購入されたギフトコースの夫々に紐付けられたギフトコードを発行する。サーバ１によってギフトコードが発行されると、そのギフトコードが第１端末２に表示される。具体的には、サーバ１は、ギフトコードを表示する画面を特定するためのＵＲＬ（Ｕｎｉｆｏｒｍ  Ｒｅｓｏｕｒｃｅ  Ｌｏｃａｔｏｒ）が記載されたメール等を第１端末２に送信する。第１端末２は、サーバ１から送信されてきたメール等に記載されたＵＲＬにアクセスすることで、ギフトコードが記載された画面を表示することができる。これにより、第１端末２を操作する第１の人Ｇは、ギフトコードを取得すると同時に、サービス提供者Ｍから、ギフトをもらう権利Ｈの譲渡を受ける。
【００２５】
サービス提供者Ｍからギフトコードを提供されることで、ギフトをもらう権利Ｈを譲渡された第１の人Ｇは、このギフトコードを第２の人Ｔに提供することにより、ギフトをもらう権利Ｈを第２の人Ｔに譲渡する。
具体的には、ステップＳ４において、第１端末２は、ギフトコードの提供を受けた第１の人Ｇの操作に基づいて、ギフトコードを第２端末３に通知する。第１端末２が第２端末３にギフトコードを通知する手法は特に限定されない。本実施形態のように、第１端末２から第２端末３に対しメール等で通知してもよいし、第１の人Ｇによる第１端末２の操作に基づいて、サーバ１から第２端末３に対し直接的にメール等で通知してもよい。
【００２６】
ステップＳ５において、第２端末３は、第２の人Ｔの操作に基づいて、サービス提供者Ｍにより管理されるサイトのうち、ギフトとしての商品等を選択させるために提供するサイト（以下、「商品選択サイト」と呼ぶ）にアクセスする。商品選択サイトには、所定の入力フォームが用意されており、第２の人Ｔは、この入力フォームにギフトコードを入力する。このようにして、第２の人Ｔは、自身がギフトをもらう権利Ｈを有していることをサーバ１に示す。
【００２７】
ステップＳ６において、サーバ１は、第２端末３に、ギフトコードに対応する種類のギフトコースに掲載された１以上の商品等の中から所定のものをギフトとして選択するための画面（以下、「商品選択画面」と呼ぶ）を表示させる制御を実行する。
【００２８】
ステップＳ７において、第２端末３は、第２の人Ｔの操作に基づいて、ギフトコードに対応付けられた所定種類のギフトコースに掲載された１以上の商品等の中から、第２の人Ｔの所望する商品等を選択する。
ステップＳ８において、サーバ１は、第２の人Ｔの住所や連絡先等の情報に基づいて、第２の人Ｔに対しギフトを配送するために必要となる情報（以下「配送情報」と呼ぶ）を生成し、生成された配送情報を商品提供者端末４に送信する。このようにして、サービス提供者Ｍは、商品提供者Ｐに対しギフトの発送を依頼する。商品提供者端末４は、送信されてきた配送情報を受信する。商品提供者Ｐは、商品提供者端末４に送信されてきた配送情報に基づいて、配送業者等にギフトの配送依頼等を行う。これにより、ギフト（実際の商品等）は、第２の人Ｔに向けて発送される。
ステップＳ９において、商品提供者端末４は、第２の人Ｔに対するギフトの発送が完了した旨を、第２端末３及びサーバ１に通知する。サーバ１は、ギフトの発送が完了した旨の通知を受けると、その旨を第１端末２に通知する。
以上、本サービスの全体の流れについて、図２を参照して説明した。続いて、図１の情報処理システムのうちのサーバ１のハードウェア構成の一例について説明する。
【００２９】
図３は、図１の情報処理システムのうちサーバ１のハードウェア構成の一例を示すブロック図である。
サーバ１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、バス２４と、入出力インターフェース２５と、出力部２６と、入力部２７と、記憶部２８と、通信部２９と、ドライブ３０とを備えている。
【００３０】
ＣＰＵ２１は、ＲＯＭ２２に記録されているプログラム、又は、記憶部２８からＲＡＭ２３にロードされたプログラムに従って各種の処理を実行する。
ＲＡＭ２３には、ＣＰＵ２１が各種の処理を実行する上において必要なデータ等も適宜記憶される。
【００３１】
ＣＰＵ２１、ＲＯＭ２２及びＲＡＭ２３は、バス２４を介して相互に接続されている。このバス２４にはまた、入出力インターフェース２５も接続されている。入出力インターフェース２５には、出力部２６、入力部２７、記憶部２８、通信部２９及びドライブ３０が接続されている。
【００３２】
出力部２６は各種液晶ディスプレイ等で構成され、各種情報を出力する。
入力部２７は、各種ハードウェア鉛等で構成され、各種情報を入力する。
記憶部２８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部２９は、インターネットを含むネットワークＮを介して他の装置（図１の例では第１端末２、第２端末３、商品提供者端末４等）との間で行う通信を制御する。
【００３３】
ドライブ３０は、必要に応じて設けられる。ドライブ３０には磁気ディスク、光ディスク、光磁気ディスク、或いは半導体メモリ等よりなる、リムーバブルメディア４１が適宜装着される。ドライブ３０によってリムーバブルメディア４１から読み出されたプログラムは、必要に応じて記憶部２８にインストールされる。またリムーバブルメディア４１は、記憶部２８に記憶されている各種データも、記憶部２８と同様に記憶することができる。
【００３４】
第１端末２、第２端末３及び商品提供者端末４の構成は、タッチパネルを有する点を除き、サーバ１の構成と基本的に同様であるので、ここではそれらのハードウェア構成の説明は省略する。
【００３５】
このようなサーバ１、第１端末２、第２端末３及び商品提供者端末４の各種ハードウェアと各種ソフトウェアとの協働により、サーバ１の実行する処理のうち商品提供処理の実行が可能になる。即ち、サーバ１及び商品提供者端末４は、図４に示すような機能的構成を有することにより商品提供処理を実行することができる。
【００３６】
図４は、図１のサーバ１及び商品提供者端末４が実行する商品提供処理に必要となる機能的構成の一例を示す機能ブロック図である。
【００３７】
商品提供者端末４のＣＰＵ５１においては、商品等情報受付部８１と、商品等情報送信制御部８２とが機能する。
【００３８】
商品等情報受付部８１は、商品提供者Ｐのタッチ操作等により入力された商品提供者Ｐの商品等に関する各種情報（以下、「商品等情報」と呼ぶ）を受け付ける。
商品等情報送信制御部８２は、商品等情報受付部８１で受け付けた商品等情報を通信部５３を介してサーバ１に送信するための制御を実行する。
【００３９】
サーバ１のＣＰＵ２１においては、商品等情報取得部１０１と、商品選択画面管理部１０２と、掲載商品選択部１０３とが、機能する。サーバ１の記憶部２８の一領域には、商品等情報ＤＢ５００と、商品提供者情報ＤＢ６００と、が設けられる。
【００４０】
商品等情報取得部１０１は、商品提供者端末４から送信されてきた商品等情報を、通信部２９を介して取得し、取得した商品等情報を商品等情報ＤＢ５００に格納する。後述するが、商品等情報ＤＢ５００には、第２の人Ｔにより選択された商品等の情報（以下、「配送対象商品情報」と呼ぶ）も格納される。
【００４１】
商品選択画面管理部１０２は、第２端末３に商品選択画面として表示される各種ウェブサイト又は当該ウェブサイトを構成する各ページのデータを生成し、管理する。即ち、商品選択画面管理部１０２は、第２の人Ｔに、ギフトをもらう権利Ｈに基づいて所望の商品を選択させるための画面、即ち、商品選択画面のデータを含むウェブサイト等のデータを生成して管理する。
【００４２】
掲載商品選択部１０３は、商品等情報ＤＢ５００から商品等情報を抽出し、商品選択画面に表示させる商品等の種類を選択する。即ち、掲載商品選択部１０３は、商品等情報ＤＢ５００から抽出した商品等情報に基づいて、ギフトコース毎に、選択可能な商品等を選択する。掲載商品選択部１０３は、さらに、商品等情報ＤＢ５００から商品等の在庫数に関する情報を抽出し、商品等の種類の選択に反映させる。即ち、掲載商品選択部１０３は、商品等の在庫があることを事前に確認し、在庫が存在する商品等の中から商品等の種類を選択する。これにより、例えば商品等の在庫切れが発生した場合であっても、再度処理を行う必要がなくなる。
なお、サービス提供者Ｍ又はその顧客は、各ギフトコースの価格や種別（趣向）に応じて、様々な商品等を組み合わせて、ギフトコースを設定することができる。掲載商品選択部１０３は、ギフトコース毎に選択する商品等について、事前にサービス提供者Ｍが決定したものを選択してもよいし、例えば、価格や商品のカテゴリ等から自動的に選択してもよい。
【００４３】
次に、図５を参照して、図４のサーバ１及び商品提供者端末４により実行される商品提供処理について説明する。
図５は、図４の機能的構成を有するサーバが実行する、商品提供処理の流れの一例を説明するフローチャートである。
なお、商品提供処理とは、本サービスを実施する前提として、商品提供者Ｐがサービス提供者Ｍに対し、第２の人Ｔがもらうことができるギフトを予め提供しておくための一連の処理をいう。
【００４４】
ステップＳ１１において、商品等情報取得部１０１は、商品提供者端末４から送信されてきた商品等情報を、通信部２９を介して取得し、取得した商品等情報を商品等情報ＤＢ５００に格納する。
【００４５】
ステップＳ１２において、掲載商品選択部１０３は、ステップＳ１１で格納された商品等情報を商品等情報ＤＢ５００から取得し、商品選択画面に表示する商品等の種類を選択する。即ち、掲載商品選択部１０３は、商品等情報ＤＢ５００から抽出した商品等情報に基づいて、ギフトコース毎に、第２の人Ｔが選択可能な商品等を選択する。
【００４６】
ステップＳ１３において、商品選択画面管理部１０２は、商品選択画面を管理する。即ち、商品選択画面管理部１０２は、ステップＳ３で選択された商品等に基づいて、第２端末３に表示される商品選択画面のデータを生成する。
【００４７】
ステップＳ１４において、サーバ１のＣＰＵ２１は、処理の終了指示があったか否かを判断する。ここで、処理の終了指示の具体的な手法は特に限定されないが、本実施形態では、サーバ１のいわゆるスリープ状態等への移行指示が採用されている。つまり、サーバ１においてスリープ状態等への移行指示がなされない限り、ステップＳ１４においてＮＯであると判断されて処理はステップＳ１１に戻され、それ以降の処理が繰り返される。
これに対して、サーバ１においてスリープ状態等への移行指示が出されると、ステップＳ１４においてＹＥＳであると判断されて、商品提供処理は終了になる。
【００４８】
以上、本サービスを提供するための前提となる、商品提供処理の一連の流れについて説明した。
続いて、ギフトコース選択処理及び商品選択処理について説明する。ギフトコース選択処理とは、第１の人Ｇが、サービス提供者Ｍからギフトをもらう権利Ｈを購入する際に、情報処理システムにおいて実行される一連の処理をいう。商品選択処理とは、第２の人Ｔが、第１の人Ｇから譲渡されたギフトをもらう権利Ｈを用いて所望の商品を選択する際に、情報処理システムにおいて実行される一連の処理をいう。即ち、サーバ１、第１端末２、及び第２端末３は、ギフトコース選択処理及び商品選択処理を実行するにあたり、図６に示すような機能的構成を有する。
【００４９】
図６は、図１の第１端末２、第２端末３及びサーバ１によって実行されるギフトコース選択処理及び商品選択処理に必要な機能的構成の一例を示す機能ブロック図である。
【００５０】
図６に示すように、第１端末２のＣＰＵ１２１においては、メッセージ取得制御部１３１と、アクセス制御部１３２と、申込受付部１３３と、申込送信制御部１３４と、コード取得部１３５と、表示制御部１３６とが機能する。
【００５１】
メッセージ取得制御部１３１は、第２端末３から送信されたメッセージを第１端末２に取得させる制御を実行する。
アクセス制御部１３２は、第１端末２によってメッセージｍ１が取得された場合に、第１端末２が、ギフトをもらう権利Ｈを提供するウェブサイトにアクセスする制御を実行する。ここで、アクセス制御部１３２による、ギフトをもらう権利Ｈを提供するウェブサイトへのアクセスを制御する手法は特に限定されない。例えば、アクセス制御部１３２は、テキストマイニング（ｔｅｘｔ  ｍｉｎｉｎｇ）等の手法を用いてメッセージｍ１のテキストデータを分析することにより、第１端末２により取得されたメッセージｍ１の内容に応じてギフトをもらう権利Ｈを提供するウェブサイトにアクセスするか否かを判断してもよい。また、この場合、メッセージｍ１の内容に応じたウェブサイトにアクセスするように制御してもよい。具体的には例えば、メッセージｍ１の内容が第２の人Ｔの昇進についてのものである場合には、昇進のお祝いに適したギフトコースを選択可能とするウェブサイトにアクセスするように制御してもよい。
【００５２】
申込受付部１３３は、ギフトをもらう権利Ｈを提供するウェブサイトにおいて、ギフトをもらう権利の提供を希望する注文操作を受け付ける。即ち、申込受付部１３３は、第１の人Ｇによるタッチパネル１２２に対するタッチ操作に基づいて、ギフトコース購入の申込を受け付ける。
申込送信制御部１３４は、申込受付部１３３により受け付けられた申込に関する情報を、通信部１２３を介してサーバ１に送信する制御を実行する。
【００５３】
申込に関する情報が第１端末２からサーバ１に送信されると、サーバ１では、送信されてきた申込に関する情報に基づいて、ギフトコードを発行する。そして、サーバ１により発行されたギフトコードは、サーバ１の通信部２９を介して第１端末２に送信される。
具体的には、第１端末２のコード取得部１３５は、サーバ１から送信されてきたギフトコードを、通信部１２３を介して取得する。第１の人Ｇは、サーバ１から送信されてきたギフトコードを取得することで、サービス提供者Ｍからギフトをもらう権利Ｈを取得する。そして、第１の人Ｇは、サーバ１から送信されてきたギフトコードを第２の人Ｔに譲渡（贈る）ことで、この権利を譲渡することができる。
表示制御部１３６は、コード取得部１３５により取得されたギフトコードを表示部１４２に表示させる制御を実行する。
【００５４】
以上のような第１端末２の機能的構成に対して、サーバ１のＣＰＵ２１においては、商品選択処理実行部２０１と、ギフトコース選択処理実行部２０２と、有効化無効化処理部２０３と、商品選択画面管理部１０２とが機能する。なお、ギフトコース選択処理実行部２０２は、後述するギフトコース選択処理の実行時に機能し、商品選択処理実行部２０１は、後述する商品選択処理の実行時に機能する。サーバ１の記憶部２８の一領域には、商品提供者情報ＤＢ６００とが設けられている。
【００５５】
まず、ギフトコース選択処理実行部２０２の機能的構成について説明する。ギフトコース選択処理においては、第１端末２とサーバ１とが機能する。ギフトコース選択処理実行部２０２には、申込取得部２１１と、第１情報管理部２１２とが設けられている。
【００５６】
申込取得部２１１は、第１端末２から送信されてきた申込に関する情報を取得する。
第１情報管理部２１２は、取得された注文操作の受け付けをトリガとして、前記ギフトをもらう権利を有することを示すギフトコードを発行する。即ち、第１情報管理部２１２は、第１の人Ｇによる第１端末２への操作に基づいて、ギフトをもらう権利Ｈを有することを示す情報としてギフトコードを発行する。具体的には、第１情報管理部２１２は、申込取得部２１１により取得された申込に関する情報に基づいてギフトコードを発行する。
【００５７】
次に商品選択処理実行部２０１の機能的構成について説明する。商品選択処理においては、サーバ１のＣＰＵ２１では、商品選択処理実行部２０１が機能する。第２端末３のＣＰＵ３０１では、受付部３１１と、コード送信制御部３１２と、商品選択送信制御部３１３と、商品等情報取得部３１４と、表示制御部３１５とが機能する。なお、サーバ１の商品選択処理実行部２０１には、受付部２２１と、第２情報管理部２２２とが設けられている。そして、受付部２２１には、コード取得部２３１と、商品選択取得部２３２とが設けられている。さらに、第２端末３の受付部３１１には、コード受付部３２１と、商品選択受付部３２２とが設けられている。
【００５８】
コード受付部３２１は、入力部３３１を介して、第２の人Ｔによるギフトコードの入力を受け付ける。
コード送信制御部３１２は、コード受付部３２１により入力が受付けられたギフトコードを、通信部３０３を介して、サーバ１に送信するための制御を実行する。
【００５９】
サーバ１のコード取得部２３１は、第２端末３から送信されてきたギフトコードを取得する。
第２情報管理部２２２は、コード取得部２３１により取得されたギフトコードが有効となっている場合には、ギフトをもらう権利Ｈが有効であるとして、ギフトコードを入力した者に対して、当該ギフトを配送するために必要な各種処理の実行を管理する。具体的には、第２情報管理部２２２は、ギフトコードが有効であった場合には、第２の人Ｔがサービス提供者Ｍから受け取るギフトを選択するための画面を含むウェブサイト等のデータを生成して管理する。そして、第２情報管理部２２２は、生成されたウェブサイト等のデータを第２端末３に提示する。
【００６０】
第２端末３の商品等情報取得部３１４は、サーバ１から送信されてきた上述のウェブサイト等のデータを取得する。さらに、表示制御部３１５は、商品等情報取得部３１４により取得された商品選択画面を表示部３３２に表示する制御を実行する。提示されたギフトコードについて、ギフトをもらう権利Ｈが有効であるか無効であるかについては、後述する有効化無効化処理部２０３が判定する。
【００６１】
このようにして、第２の人Ｔは、自身の入力したギフトコードに紐づけられたギフトコードに対応する商品についての商品選択画面の提示を受ける。そして、商品選択画面の提示を受けた第２の人Ｔは、第２端末３に表示された商品選択画面を視認しながら所望のギフトを選択する。
商品選択受付部３２２は、第２の人Ｔの操作に基づいて、商品選択を受け付ける。即ち、商品選択受付部３２２は、ギフトコースに含まれる１以上の商品等のうち、ギフトコードを入力した第２の人Ｔによる商品等の選択を受け付ける。そして、商品選択送信制御部３１３は、商品選択受付部３２２に受け付けられた商品選択に関する各種情報を、通信部３０３を介してサーバ１に送信する制御を実行する。
【００６２】
サーバ１の商品選択取得部２３２は、第２端末３から送信されてきた商品選択に関する情報を取得する。取得された商品選択に関する情報は、第２情報管理部２２２によって管理される。
【００６３】
有効化無効化処理部２０３は、受付けられたギフトコードが有効であるか否かを判定する。具体的には、有効化無効化処理部２０３は、取得されたギフトコードにより特定されるギフトコースの中からギフトをもらう権利Ｈについて、所定条件を満たした場合には、ギフトコードを有効化し、それ以外の場合にはギフトコードを無効化する処理を実行する。ギフトコード毎の有効無効については、サービス提供者Ｍが自由に設定することができる。例えば、サービス提供者Ｍは、一定の期間の制限を設け、ギフトコードの発行後、１月が経過した場合、ギフトコードを無効化するという設定を行うこともできる。
また、上述したように、有効化無効化処理部２０３は、コード取得部２３１により取得されたギフトコードから、第２の人Ｔに帰属するギフトをもらう権利Ｈが有効となっているか否か等の判定を行うことができる。つまり、有効化無効化処理部２０３は、ギフトをもらう権利Ｈを有するギフトコードの有効化処理及び無効化処理を行い、さらに第２端末３から送信されてきたギフトコードが有効か無効かを判定する。ギフトコードの有効化処理とは、無効化されているギフトコードを有効化する際に行われる処理のことをいう。例えば、サービス提供者Ｍ又は第１の人Ｇがイベント等を開催した場合において、ギフトコードを保有する者が当該イベント等に参加した場合にのみ、ギフトコードを有効化するような処理は、有効化処理の一例である。無効化処理とは、有効化されているギフトコードを無効化する際に行われる処理である。例えば、第２の人Ｔが選択した商品の変更を希望する場合に、ギフトコードを無効化して選択した商品のキャンセルを受付けるような処理は、無効化処理の一例である。
【００６４】
次に、図７を参照して、図６のサーバ１により実行されるギフトコース選択処理について説明する。
図７は、図６の機能的構成を有するサーバが実行する、ギフトコース選択処理の流れを説明するフローチャートである。
なお、上述したとおり、ギフトコース選択処理とは、第１の人Ｇが、サービス提供者Ｍから、ギフトをもらう権利Ｈを購入する一連の処理である。
【００６５】
ステップＳ２１において、申込取得部２１１は、第１端末２から送信されてきたギフトコースの選択情報を受け付ける。
【００６６】
ステップＳ２２において、第１情報管理部２１２は、ステップＳ２１で取得されたギフトコースの選択情報に基づいて、ギフトコースに対応するギフトコードを発行する。具体的に例えば、第１情報管理部２１２は、申込取得部２１１から取得したギフトコースの選択情報を取得する。そして、第１情報管理部２１２は、ギフトコースの選択情報に基づいて、第１の人Ｇが選択したギフトコースに対応したギフトコードを発行する。
【００６７】
ステップＳ２３において、第１情報管理部２１２は、ステップＳ２２で発行したギフトコードを第１端末２に送信する。
【００６８】
ステップＳ２４において、サーバ１のＣＰＵ２１は、処理の終了指示があったか否かを判断する。ここで、処理の終了指示は、特に限定されないが、本実施形態ではサーバ１のいわゆるスリープ状態等への移行指示が採用されている。つまり、サーバ１においてスリープ状態等への移行指示がなされない限り、ステップＳ２４においてＮＯであると判断されて処理はステップＳ２１に戻され、それ以降の処理が繰り返される。
これに対して、サーバ１においてスリープ状態等への移行指示がなされると、ステップＳ２４においてＹＥＳであると判断されて、ギフトコース選択処理は終了になる。
【００６９】
次に、図８を参照して、図６のサーバ１により実行される商品選択処理について説明する。
図８は、図６の機能的構成を有するサーバ１が実行する、商品選択処理の流れを説明するフローチャートである。
【００７０】
ステップＳ３１において、コード取得部２３１は、第２端末３から送信されてきたギフトコードを取得する。
【００７１】
ステップＳ３２において、第２情報管理部２２２は、取得したギフトコードが有効であるか否かを判定する。
取得したギフトコードが無効である場合にはステップＳ３２において、ＮＯであると判定されて、処理はステップＳ３１に戻され、それ以降の処理が繰り返される。
これに対して、取得したギフトコードが有効であれば、ステップＳ３２でＹＥＳであると判定されて、処理はステップＳ３３に進む。
【００７２】
ステップＳ３３において、第２情報管理部２２２は、商品選択画面管理部１０２に管理されている商品選択画面を含むウェブサイト等のデータを抽出し、それを第２端末３に送信する。
ここで、第２端末３に送信されたウェブサイト等のデータは、第２端末３により取得される。取得されたウェブサイト等のデータは、第２端末３の表示部３３２に表示されることで第２の人Ｔに提示される。第２の人Ｔは、第２端末３に表示された商品選択画面を見ながら所望の商品を選択する。第２の人Ｔにより商品が選択されると、第２端末３は、第２の人Ｔによる選択の結果を商品選択情報としてサーバ１に送信する。
【００７３】
ステップＳ３４において、商品選択取得部２３２は、第２端末３から送信されてきた商品選択情報を、通信部２９を介して取得する。
【００７４】
ステップＳ３５において、第２情報管理部２２２は、ステップＳ３４で取得された商品選択情報に基づいて、第２の人Ｔに商品（ギフト）配送する会社や、第２の人Ｔの住所、時間指定等の配送条件に関する情報（以下、「配送情報」と呼ぶ）を生成する。
【００７５】
ステップＳ３６において、サーバ１のＣＰＵ２１は、処理の終了指示があったか否かを判断する。ここで、処理の終了指示は、特に限定されないが、本実施形態ではサーバ１のいわゆるスリープ状態等への移行指示が採用されている。つまり、サーバ１においてスリープ状態等への移行指示がなされない限り、ステップＳ３６においてＮＯであると判断されて処理はステップＳ３１に戻され、それ以降の処理が繰り返される。
これに対して、サーバ１においてスリープ状態等への移行指示がなされると、ステップＳ３６においてＹＥＳであると判断されて、商品選択処理は終了になる。
【００７６】
以上本発明の一実施形態について説明したが、本発明は、上述の実施形態に限定されるものではなく、本発明の目的を達成できる範囲での変形、改良等は本発明に含まれるものである。
【００７７】
例えば、上述の実施形態では、第１の人Ｇが、第２の人Ｔに対してギフトコードを贈る手法として、メール等によってギフトコードを通知する手法を採用しているが、これに限られない。第１の人Ｇは、サービス提供者Ｍにより発行されたギフトコードが印字された紙媒体等のカード（以下、「ギフトカード」と呼ぶ）を受け取ることでギフトコードを取得し、このギフトカードを第２の人Ｔに渡してもよい。また、第１の人Ｇによる第１端末２の操作に基づいて、サービス提供者Ｍから第２の人Ｔに対し直接ギフトカードを送付するようにしてもよい。第２の人Ｔがギフトカードを取得することで、第２の人Ｔにギフトコードが通知されると、ギフトをもらう権利Ｈも第２の人Ｔに移転することとなる。
【００７８】
また例えば、上述の実施形態では、第１の人Ｇが、第２の人Ｔに対してギフトコードを贈るケースが記載されているが、第２の人Ｔが操作する第２端末３を、上述の実施形態における第１端末２として機能させてもよい。これにより、第２の人Ｔから第１の人Ｇに対してギフト（例えば返礼としてのギフト）を贈ることもできる。この場合、第１の人Ｇは、第１端末２を、状上述の実施形態における第２端末３として機能させることとなる。
【００７９】
また例えば、上述した一連の処理は、ハードウェアにより実行させることもできるし、ソフトウェアにより実行させることもできる。
換言すると、図４及び図６の機能的構成は例示に過ぎず、特に限定されない。
即ち、上述した一連の処理を全体として実行できる機能が情報処理システムに備えられていれば足り、この機能を実現するためにどのような機能ブロックを用いるのかは特に図４及び図６の例に限定されない。また、機能ブロックの存在場所も、図４及び図６に特に限定されず、任意でよい。例えば、図６に示す機能ブロック図では、メッセージ取得制御部１３１は、第１端末２のＣＰＵ１２１において機能する構成となっているが、これに限れず、サーバ１のＣＰＵ２１において機能する構成としてもよい。
また、１つの機能ブロックは、ハードウェア単体で構成してもよいし、ソフトウェア単体で構成してもよいし、それらの組み合わせで構成してもよい。
【００８０】
また例えば、一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。
また、コンピュータは、各種のプログラムをインストールすることで、各種の機能を実行することが可能なコンピュータ、例えばサーバの他、スマートフォンやパーソナルコンピュータ、又は各種デバイス等であってもよい。
【００８１】
また例えば、このようなプログラムを含む記録媒体は、第１の人、第２の人、及び商品提供者にプログラムを提供するために装置本体とは別に配布される図示せぬリムーバブルメディアにより構成されるだけでなく、装置本体に予め組み込まれた状態でユーザに提供される記録媒体等で構成される。
【００８２】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００８３】
以上を換言すると、本発明が適用される情報処理システムは、次のような構成を有する各種各様の実施形態を取ることができる。
即ち、本発明が適用される情報処理システムは、
第１の人（例えば図１の第１の人Ｇ）が第２の人（例えば図１の第２の人Ｔ）にギフトを贈るために操作する第１端末（例えば図１の第１端末２）と、第２の人が第１の人から贈られたギフトを受け取るために操作する第２端末（例えば図１の第２端末３）とを少なくとも含む情報処理システムにおいて、
前記第２端末から送信されたメッセージ（例えば図２のメッセージｍ１）を前記第１端末に取得させる制御を実行するメッセージ取得制御手段（例えば図６のメッセージ取得制御部１３１）と、
前記第１端末によって前記メッセージが取得された場合に、前記第１端末が、ギフトをもらう権利（例えば図２のギフトをもらう権利Ｈ）を提供するウェブサイトにアクセスする制御を実行するアクセス制御手段（例えば図６のアクセス制御部１３２）と、
前記ウェブサイトにおいて、前記ギフトをもらう権利の提供を希望する注文操作を受け付ける注文操作受付手段（例えば図６の申込受付部１３３及び申込取得部２１１）と、
前記注文操作の受け付けをトリガとして、前記ギフトをもらう権利を有することを示すギフトコードを発行するギフトコード発行手段（例えば図６の第１情報管理部２１２）と、
発行された前記ギフトコードの入力を受付けるコード受付手段（例えば図６のコード受付部３２１）と、
受付けられた前記ギフトコードが有効であるか否かを判定する判定手段（例えば図６の有効化無効化処理部２０３）と、
前記ギフトコードが有効であると判断された場合に、前記ギフトを選択するための商品選択画面を前記第２端末に表示する制御を実行する商品選択画面表示制御手段（例えば図６の第２情報管理部２２２及び表示制御部３１５）と、
前記商品選択画面における商品選択操作を受け付ける商品選択受付手段（商品選択受付部３２２及び第２情報管理部２２２）と、
を備える。
これにより、第２の人Ｔの進捗状況（例えば昇進、大学合格等）の報告を受けた第１の人Ｇが、第２の人Ｔの進捗状況の内容に応じて、第２の人Ｔに対し迅速かつ容易にギフトを贈ることができる。
【００８４】
また、前記アクセス制御手段は、前記メッセージの内容を分析し、当該分析の結果に応じて、前記第１端末が、前記ウェブサイトにアクセスする制御を実行することができる。
これにより、第１の人Ｇが第２の人Ｔにギフトを贈る必要性がある場合についてのみ、第１端末２がギフトをもらう権利を提供するウェブサイトにアクセスできるように制御することができる。
【符号の説明】
【００８５】
１・・・サーバ、２・・・第１端末、３・・・第２端末、４，４−１，４−ｎ・・・商品提供者端末、２１・・・ＣＰＵ、２２・・・ＲＯＭ、２３・・・ＲＡＭ、２４・・・バス、２５・・・入出力インターフェース、２６・・・出力部、２７・・・入力部、２８・・・記憶部、２９・・・通信部、３０・・・ドライブ、４１・・・リムーバブルメディア、５１・・・ＣＰＵ、５２・・・タッチパネル、５３・・・通信部、１０１・・・商品等情報取得部、１０２・・・商品選択画面管理部、１０３・・・掲載商品選択部、１３１・・・メッセージ取得制御部、１３２・・・アクセス制御部、１３３・・・申込受付部、１３４・・・申込送信制御部、１３５・・・コード取得部、１３６・・・表示制御部、１４１・・・入力部、１４２・・・表示部、２０１・・・商品選択処理実行部、２０２・・・ギフトコース選択処理実行部、２０３・・・有効化無効化処理部、２１１・・・申込取得部、２１２・・・第１情報管理部、２２１・・・受付部、２２２・・・第２情報管理部、２３１・・・コード取得部、２３２・・・商品選択取得部、３０１・・・ＣＰＵ、３０２・・・タッチパネル、３０３・・・通信部、３１１・・・受付部、３１２・・・コード送信制御部、３１３・・・商品選択送信制御部、３１４・・・商品等情報取得部、３１５・・・表示制御部、３２１・・・コード受付部、３２２・・・商品選択受付部、３３３１・・・入力部、３３２・・・表示部、５００・・・商品等情報ＤＢ、６００・・・商品提供者情報ＤＢ、Ｍ・・・サービス提供者、Ｇ・・・第１の人、Ｔ・・・第２の人、Ｐ・・・商品提供者、Ｈ・・・ギフトをもらう権利
【図１】
2018152070.tif 000003
【図２】
2018152070.tif 000004
【図３】
2018152070.tif 000005
【図４】
2018152070.tif 000006
【図５】
2018152070.tif 000007
【図６】
2018152070.tif 000008
【図７】
2018152070.tif 000009
【図８】
2018152070.tif 000010